(57)【要約】【課題】外装面材と軒天井の取合部を容易に意匠的に好ましい状態に収めること。【解決手段】外壁パネル１２より外側に突出する屋根パネル１１の軒先部１００に対する軒天井パネル１０の配設を、その外壁側側縁部１０ａを外壁（半土台１３）に取り付け、軒先側側縁部１０ｂを鼻隠１４に取り付ける状態で行う軒天井パネル１０の配設方法である。外壁側側縁部１０ａの高さを、その下面１０ｄと外壁に設けられた外壁タイルパネル１２ａの上端部１２ａ１との位置が略合う状態に合わせ、屋根パネル１１の軒先側側縁部１１ｃと鼻隠１４との間に調整部材１５を設けて鼻隠１４の高さを調整することで、軒先側側縁部１０ｂの高さを外壁側側縁部１０ａの高さに合う状態で行う。これにより、外壁タイルパネル１２ａと軒天井パネル１０の取合部を意匠的に好ましい状態に収めることができる。【選択図】図１
2005220697.tif 000002
【特許請求の範囲】
【請求項１】
外壁より外側に突出する屋根の軒先部に対する軒天井の配設を、その一方の側縁部を外壁に取り付け、他方の側縁部を鼻隠に取り付ける状態で行う軒天井の配設方法であって、
前記一方の側縁部の高さを、その下面と前記外壁に設けられた外装面材の上端部との位置が略合う状態に合わせ、
前記屋根の軒先側側縁部と前記鼻隠との間に調整部材を設けて前記鼻隠の高さを調整することで、前記他方の側縁部の高さを前記一方の側縁部の高さに合う状態で前記配設を行うことを特徴とする軒天井の配設方法。
【請求項２】
前記外装面材は外壁タイルパネルであり、
前記外壁タイルパネルをその目地部で切断することで、前記上端部を形成することを特徴とする請求項１に記載の軒天井の配設方法。
【請求項３】
前記軒天井の配設を、前記軒天井の一方の側縁部に、それと前記外装面材の上端部との間の隙間を塞ぐ塞ぎ部材を設けて行うことを特徴とする請求項１又は２に記載の軒天井の配設方法。
【請求項４】
外壁より外側に突出する屋根の軒先部に対する軒天井の配設が、その一方の側縁部が外壁に取り付けられ、他方の側縁部が鼻隠に取り付けられた状態で行われた軒天井の配設構造であって、
前記一方の側縁部の高さが、その下面と前記外壁に設けられた外装面材の上端部との位置が略合う状態に合わせられ、
前記屋根の軒先側側縁部と前記鼻隠との間に調整部材が設けられて前記鼻隠の高さが調整されることで、前記他方の側縁部の高さが前記一方の側縁部の高さに合う状態で前記配設が行われていることを特徴とする軒天井の配設構造。
【請求項５】
前記外装面材は外壁タイルパネルであり、
前記外壁タイルパネルはその目地部で切断されて、前記上端部が形成されていることを特徴とする請求項４に記載の軒天井の配設構造。
【請求項６】
前記軒天井の配設は、前記軒天井の一方の側縁部に、それと前記外装面材の上端部との間の隙間を塞ぐ塞ぎ部材が設けられて行われていることを特徴とする請求項４又は５に記載の軒天井の配設構造。
【発明の詳細な説明】
【技術分野】
【０００１】
本発明は、住宅等に設けられる軒天井の配設方法及び軒天井の配設構造に関する。
【背景技術】
【０００２】
住宅の構築において、軒天井は建物の屋根のうち外壁より外側に突出する屋根の軒先部に配設されるものである。従来一般の軒天井の配設方法としては、例えば、野縁材を軒天井材の上面に取り付け、この野縁材を屋根等から吊木によって吊るという方法がある。しかしながらこの方法においては、野縁材や吊木を精度良く取り付ける現場作業が煩雑であった。
【０００３】
この点に鑑みて近年においては、例えば特許文献１に示すように、天井下地の軒先側と外壁側とに断面コ字状の取付具をコ字状の開口部を対向させて取り付け、この取付具に軒天井の両側縁部をそれぞれ支持させて行う軒天井の配設方法が提案されている。
【特許文献１】特開２００１−２０７５８２号公報、段落〔００１１〕〜〔００２９〕、第１図
【発明の開示】
【発明が解決しようとする課題】
【０００４】
前記した特許文献１に記載の技術においては、外壁側に設けられる取付具の下面の位置を、外壁に対して設けられる外装面材の上端部の位置に略合う状態にして、外装面材と軒天井の取合部を意匠的に好ましい状態に収める必要がある。ところで、外装面材が外壁タイルパネルである場合には、外壁タイルパネルの上端部は、その目地部で切断して形成することが望ましい。この結果、軒天井の配設を、その高さを外壁タイルパネルの上端部に合わせて微調整して行わなければならない場合があり、施工が煩雑であった。
【０００５】
本発明の課題は、外装面材と軒天井の取合部を容易に意匠的に好ましい状態に収めることを可能とする軒天井の配設方法及び軒天井の配設構造を提供することである。
【課題を解決するための手段】
【０００６】
上記課題を解決するために、請求項１に記載の発明は、例えば図１〜図３に示すように、
外壁（外壁パネル１２）より外側に突出する屋根（屋根パネル１１）の軒先部１００に対する軒天井（軒天井パネル１０）の配設を、その一方の側縁部（外壁側側縁部１０ａ）を外壁（半土台１３）に取り付け、他方の側縁部（軒先側側縁部１０ｂ）を鼻隠１４に取り付ける状態で行う軒天井（軒天井パネル１０）の配設方法であって、
前記一方の側縁部（外壁側側縁部１０ａ）の高さを、その下面１０ｄと前記外壁（半土台１３）に設けられた外装面材（外壁タイルパネル１２ａ）の上端部１２ａ１との位置が略合う状態に合わせ、
前記屋根（屋根パネル１１）の軒先側側縁部１１ｃと前記鼻隠１４との間に調整部材１５を設けて前記鼻隠１４の高さを調整することで、前記他方の側縁部（軒先側側縁部１０ｂ）の高さを前記一方の側縁部（外壁側側縁部１０ａ）の高さに合う状態で前記配設を行うことを特徴としている。
【０００７】
請求項１に記載の発明によれば、前記一方の側縁部（外壁側側縁部１０ａ）の高さが、その下面１０ｄと前記外壁（半土台１３）に設けられた外装面材（外壁タイルパネル１２ａ）の上端部１２ａ１との位置が略合う状態に合わせられる。そして、前記屋根（屋根パネル１１）の軒先側側縁部１１ｃと前記鼻隠１４との間に設けられた調整部材１５によって前記鼻隠１４の高さが調整されることで、前記他方の側縁部（軒先側側縁部１０ｂ）の高さが前記一方の側縁部（外壁側側縁部１０ａ）の高さに合う状態とされる。したがって、外装面材（外壁タイルパネル１２ａ）の上端部１２ａ１と軒天井（軒天井パネル１０）の下面１０ｄとの位置合わせを容易に行い、外装面材（外壁タイルパネル１２ａ）と軒天井（軒天井パネル１０）の取合部を意匠的に好ましい状態に収めることができる。
【０００８】
前記外装面材としては、例えば、外壁タイルパネル、吹付コンクリートパネル、その他様々なサイディング材が挙げられる。
【０００９】
前記軒天井の一方の側縁部が外壁に取り付けられる状態とは、前記側縁部が外壁に釘等によって固定される場合と、前記側縁部が外壁に設けられた凹状部に支持される場合との双方を含む。
【００１０】
同様に、前記軒天井の他方の側縁部が鼻隠に取り付けられる状態とは、前記側縁部が鼻隠に釘等によって固定される場合と、前記側縁部が鼻隠に設けられた凹状部に支持される場合との双方を含む。
【００１１】
なお、本発明は、前記外装面材が外壁タイルパネルであり、外壁タイルパネルの上端部を、その目地部で切断して形成した場合等に好適に用いることができる。すなわち、外壁タイルパネルの場合、その目地部で切断することで前記上端部を秀麗に形成することができるが、上端部の高さが上下するので、この上端部と軒天井の下面との位置合わせを行って、外装面材と軒天井の取合部を意匠的に好ましい状態に収める必要があるからである。
【００１２】
請求項２に記載の発明は、例えば図１〜図３に示すように、請求項１に記載の軒天井（軒天井パネル１０）の配設方法において、
前記外装面材は外壁タイルパネル１２ａであり、
前記外壁タイルパネル１２ａをその目地部で切断することで、前記上端部１２ａ１を形成することを特徴としている。
【００１３】
請求項２に記載の発明によれば、前記外装面材が外壁タイルパネル１２ａである場合に、外壁タイルパネル１２ａの上端部１２ａ１を、その目地部で切断することで秀麗に形成することができる。
【００１４】
請求項３に記載の発明は、例えば図１〜図３に示すように、請求項１又は２に記載の軒天井（軒天井パネル１０）の配設方法において、
前記軒天井（軒天井パネル１０）の配設を、前記軒天井（軒天井パネル１０）の一方の側縁部（外壁側側縁部１０ａ）に、それと前記外装面材（外壁タイルパネル１２ａ）の上端部１２ａ１との間の隙間を塞ぐ塞ぎ部材１０ｅを設けて行うことを特徴としている。
【００１５】
請求項３に記載の発明によれば、前記塞ぎ部材１０ｅによって、前記軒天井（軒天井パネル１０）の一方の側縁部（外壁側側縁部１０ａ）と前記外装面材（外壁タイルパネル１２ａ）の上端部１２ａ１との間の隙間が塞がれるので、外装面材（外壁タイルパネル１２ａ）と軒天井（軒天井パネル１０）の取合部をさらに意匠的に好ましい状態に収めることができる。
【００１６】
請求項４に記載の発明は、例えば図１〜図３に示すように、
外壁（外壁タイルパネル１２ａ）より外側に突出する屋根（屋根パネル１１）の軒先部１００に対する軒天井（軒天井パネル１０）の配設が、その一方の側縁部（外壁側側縁部１０ａ）が外壁（半土台１３）に取り付けられ、他方の側縁部（軒先側側縁部１０ｂ）が鼻隠１４に取り付けられた状態で行われた軒天井（軒天井パネル１０）の配設構造であって、
前記一方の側縁部（外壁側側縁部１０ａ）の高さが、その下面１０ｄと前記外壁（半土台１３）に設けられた外装面材（外壁タイルパネル１２ａ）の上端部１２ａ１との位置が略合う状態に合わせられ、
前記屋根（屋根パネル１１）の軒先側側縁部１１ｃと前記鼻隠１４との間に調整部材１５が設けられて前記鼻隠１４の高さが調整されることで、前記他方の側縁部（軒先側側縁部１０ｂ）の高さが前記一方の側縁部（外壁側側縁部１０ａ）の高さに合う状態で前記配設が行われていることを特徴としている。
【００１７】
請求項４に記載の発明によれば、前記一方の側縁部（外壁側側縁部１０ａ）の高さが、その下面１０ｄと前記外壁（半土台１３）に設けられた外装面材（外壁タイルパネル１２ａ）の上端部１２ａ１との位置が略合う状態に合わせられている。そして、前記屋根（屋根パネル１１）の軒先側側縁部１１ｃと前記鼻隠１４との間に設けられた調整部材１５によって前記鼻隠１４の高さが調整されることで、前記他方の側縁部（軒先側側縁部１０ｂ）の高さが前記一方の側縁部（外壁側側縁部１０ａ）の高さに合う状態とされている。したがって、外装面材（外壁タイルパネル１２ａ）の上端部１２ａ１と軒天井（軒天井パネル１０）の下面１０ｄとの位置合わせを容易に行い、外装面材（外壁タイルパネル１２ａ）と軒天井（軒天井パネル１０）の取合部を意匠的に好ましい状態に収めることができる。
【００１８】
請求項５に記載の発明は、例えば図１〜図３に示すように、請求項４に記載の軒天井（軒天井パネル１０）の配設構造において、
前記外装面材は外壁タイルパネル１２ａであり、
前記外壁タイルパネル１２ａはその目地部で切断されて、前記上端部１２ａ１が形成されていることを特徴としている。
【００１９】
請求項５に記載の発明によれば、前記外装面材が外壁タイルパネル１２ａである場合に、外壁タイルパネル１２ａの上端部１２ａ１を、その目地部で切断することで秀麗に形成することができる。
【００２０】
請求項６に記載の発明は、例えば図１〜図３に示すように、請求項４又は５に記載の軒天井（軒天井パネル１０）の配設構造において、
前記軒天井（軒天井パネル１０）の配設は、前記軒天井（軒天井パネル１０）の一方の側縁部（外壁側側縁部１０ａ）に、それと前記外装面材（外壁タイルパネル１２ａ）の上端部１２ａ１との間の隙間を塞ぐ塞ぎ部材１０ｅが設けられて行われていることを特徴としている。
【００２１】
請求項６に記載の発明によれば、前記塞ぎ部材１０ｅによって、前記軒天井（軒天井パネル１０）の一方の側縁部（外壁側側縁部１０ａ）と前記外装面材（外壁タイルパネル１２ａ）の上端部１２ａ１との間の隙間が塞がれているので、外装面材（外壁タイルパネル１２ａ）と軒天井（軒天井パネル１０）の取合部をさらに意匠的に好ましい状態に収めることができる。
【発明の効果】
【００２２】
請求項１及び４に記載の発明によれば、前記一方の側縁部の高さが、その下面と前記外壁に設けられた外装面材の上端部との位置が略合う状態に合わせられる。そして、前記屋根の軒先側側縁部と前記鼻隠との間に設けられた調整部材によって前記鼻隠の高さが調整されることで、前記他方の側縁部の高さが前記一方の側縁部の高さに合う状態とされる。したがって、外装面材の上端部と軒天井の下面との位置合わせを容易に行い、外装面材と軒天井の取合部を意匠的に好ましい状態に収めることができる。
【００２３】
請求項２及び５に記載の発明によれば、請求項１及び４に記載の発明と同様の効果が得られることは勿論のこと、前記外装面材が外壁タイルパネルである場合に、外壁タイルパネルの上端部を、その目地部で切断することで秀麗に形成することができる。
【００２４】
請求項３及び６に記載の発明によれば、請求項１及び４又は請求項２及び５に記載の発明と同様の効果が得られることは勿論のこと、前記塞ぎ部材によって、前記軒天井の一方の側縁部と前記外装面材の上端部との間の隙間が塞がれるので、外装面材と軒天井の取合部をさらに意匠的に好ましい状態に収めることができる。
【発明を実施するための最良の形態】
【００２５】
以下、図１〜図３を参照して、本発明である軒天井の配設方法、軒天井の配設構造について詳細に説明する。先ず、軒天井の配設構造について説明する。
【００２６】
本発明に係る軒天井パネル１０（軒天井）は、例えば図１〜図３に示すように、パネル工法によって構築される住宅において、屋根パネル１１（屋根）が外壁パネル１２（外壁）より外側に突出した軒先部１００に配設されるものである。軒天井パネル１０の外壁側側縁部１０ａ（一方の側縁部）は、外壁パネル１２の間に設けられて外壁の一部を構成する半土台１３に取り付けられている。屋根パネル１１の軒先側側縁部１１ｃには、鼻隠１４が調整部材１５を介して釘等によって固定され、この鼻隠１４に軒天井パネル１０の軒先側側縁部１０ｂ（他方の側縁部）が取り付けられている。なお、符号１６は、外壁パネル１２の間に位置する床パネルを示す。
【００２７】
軒天井パネル１０の上面には野縁１０ｃが固定されている。
【００２８】
屋根パネル１１、外壁パネル１２、床パネル１６は、それぞれ、芯材１１ａ、１２ａ、１６ａに対し、面材１１ｂ、１２ｂ、１６ｂが固定されたものである。なお、床パネル１６より下方の外壁パネル１２には、外壁タイルパネル１２ａ（外装面材）が固定されている。外壁タイルパネル１２ａは、その目地部で切断されて上端部１２ａ１が形成されたものである。
【００２９】
鼻隠１４は、略三角形状に形成されて調整部材１５に当接する勾配調整部１４ａ、軒天井パネル１０の軒先側側縁部１０ｂの野縁１０ｃを受けるための受材１４ｂ、軒天井パネル１０の軒先側側縁部１０ｂを覆うための凹状部１４ｃを有している。
【００３０】
軒天井パネル１０の外壁側側縁部１０ａの半土台１３に対する取り付けは、軒天井パネル１０の下面１０ｄと外壁タイルパネル１２ａの上端部１２ａ１との位置が略合う状態に、以下のようにして行われている。すなわち、野縁１０ｃと半土台１３との間に位置する状態に受材１３ａが設けられ、野縁１０ｃと受材１３ａとを貫通する釘１３ａ１によって固定されることで行われている。
【００３１】
前記した野縁１０ｃと受材１３ａの半土台１３に対する固定は、野縁１０ｃと軒天井パネル１０との間に、軒天井パネル１０の外壁側側縁部１０ａと外壁タイルパネル１２ａの上端部１２ａ１との間の隙間を塞ぐ塞ぎ部材１０ｅを挟んだ状態で行われている。塞ぎ部材１０ｅは、薄板状の鋼鈑等が所定箇所で折り曲げられて形成され、軒天井パネル１０の外壁側側縁部１０ａを覆うコ字状部１０ｅ１を有している。このコ字状部１０ｅ１のいずれかの部分が、外壁タイルパネル１２ａの上端部１２ａ１のいずれかの部分と当接して軒天井パネル１０の外壁側側縁部１０ａと外壁タイルパネル１２ａの上端部１２ａ１との間の隙間が塞がれる状態に、軒天井パネル１０の外壁側側縁部１０ａの高さが調整されている。
【００３２】
鼻隠１４に対する軒天井パネル１０の軒先側側縁部１０ｂの取り付けは、受材１４ｂと野縁１０ｃとが釘１４ｂ１によって固定されることで行われている。この取付状態では、鼻隠１４の凹状部１４ｃによって覆われており、これによって、鼻隠１４と軒天井パネル１０の軒先側側縁部１０ｂとの取合部が意匠的に好ましい状態に収められている。なお、前記したように、屋根パネル１１の軒先側側縁部１１ｃと鼻隠１４との間には調整部材１５が設けられており、この調整部材１５によって、軒天井パネル１０の軒先側側縁部１０ｂの高さが、外壁側側縁部１０ａの高さに合わせて調整されている。
【００３３】
すなわち、軒天井パネル１０の配設は、その外壁側側縁部１０ａの高さが外壁タイルパネル１２ａの上端部１２ａ１との間に隙間を生じない状態に調整され、この外壁側側縁部１０ａの高さに合わせるようにして、軒先側側縁部１０ｂの高さが調整部材１５によって調整されて行われている。したがって、外壁タイルパネル１２ａの上端部１２ａ１と軒天井パネル１０の下面１０ｄとの位置合わせを容易に行い、外壁タイルパネル１２ａと軒天井パネル１０の取合部を意匠的に好ましい状態に収めることができるようになっている。なお、図１〜図３に示すように、調整部材１５の幅を変更することで、軒天井パネル１０の配設高さを微調整することができる。
【００３４】
以下に、軒天井の配設方法について説明する。
【００３５】
先ず、外壁パネル１２、床パネル１６、屋根パネル１１を建て込んだ後、外壁パネル１２に対して、外壁タイルパネル１２ａを取り付け、この外壁タイルパネル１２ａを所定の位置の目地部で切断して上端部１２ａ１を形成する。
【００３６】
次に、軒天井パネル１０の外壁側側縁部１０ａの半土台１３に対する取り付けを、軒天井パネル１０の下面１０ｄと外壁タイルパネル１２ａの上端部１２ａ１との位置が略合う状態に、以下のようにして行う。すなわち、野縁１０ｃと半土台１３との間に位置する状態に受材１３ａを設け、野縁１０ｃと受材１３ａとを貫通する釘１３ａ１によって固定する。
【００３７】
前記した野縁１０ｃと受材１３ａの半土台１３に対する固定は、野縁１０ｃと軒天井パネル１０との間に、軒天井パネル１０の外壁側側縁部１０ａと外壁タイルパネル１２ａの上端部１２ａ１との間の隙間を塞ぐ塞ぎ部材１０ｅを挟んだ状態で行う。この際、塞ぎ部材１０ｅのコ字状部１０ｅ１のいずれかの部分が、外壁タイルパネル１２ａの上端部１２ａ１のいずれかの部分と当接して軒天井パネル１０の外壁側側縁部１０ａと外壁タイルパネル１２ａの上端部１２ａ１との間の隙間が塞がれる状態に、軒天井パネル１０の外壁側側縁部１０ａの高さを調整する。
【００３８】
次に、鼻隠１４に対する軒天井パネル１０の軒先側側縁部１０ｂの取り付けを、以下のようにして行う。すなわち、軒天井パネル１０の軒先側側縁部１０ｂが鼻隠１４の凹状部１４ｃによって覆われる状態に、受材１４ｂと野縁１０ｃとを釘１４ｂ１によって固定して行う。
【００３９】
最後に、鼻隠１４と屋根パネル１１の軒先側側縁部１１ｃとの間の隙間に、適当な幅の調整部材１５を設け、外側から釘等によって固定する。
【００４０】
本実施の形態によれば、以下のような効果を得ることができる。
［１］外壁側側縁部１０ａの高さが、その下面１０ｄと半土台１３に設けられた外壁タイルパネル１２ａの上端部１２ａ１との位置が略合う状態に合わせられる。そして、屋根パネル１１の軒先側側縁部１１ｃと前記鼻隠１４との間に設けられた調整部材１５によって前記鼻隠１４の高さが調整されることで、軒先側側縁部１０ｂの高さが外壁側側縁部１０ａの高さに合う状態とされる。したがって、外壁タイルパネル１２ａの上端部１２ａ１と軒天井パネル１０の下面１０ｄとの位置合わせを容易に行い、外壁タイルパネル１２ａと軒天井パネル１０の取合部を意匠的に好ましい状態に収めることができる。
【００４１】
［２］外壁タイルパネル１２ａの上端部１２ａ１を、その目地部で切断することで秀麗に形成することができる。
【００４２】
なお、本発明は、前記した各実施の形態に限定されるものではなく、本発明の趣旨を逸脱しない範囲で様々な改変が可能である。
【図面の簡単な説明】
【００４３】
【図１】本発明に係る軒天井の配設方法によって軒天井が配設された軒先部の一例を示す断面図である。
【図２】本発明に係る軒天井の配設方法によって軒天井が配設された軒先部の一例を示す断面図である。
【図３】本発明に係る軒天井の配設方法によって軒天井が配設された軒先部の一例を示す断面図である。
【符号の説明】
【００４４】
１００      軒先部
１０        軒天井パネル（軒天井）
１０ａ      外壁側側縁部（一方の側縁部）
１０ｂ      軒先側側縁部（他方の側縁部）
１０ｄ      下面
１０ｅ      塞ぎ部材
１１        屋根パネル（屋根）
１１ａ      軒先側側縁部
１２        外壁パネル（外壁）
１２ａ      外壁タイルパネル（外装面材）
１２ａ１    上端部
１３        半土台（外壁）
１４        鼻隠
１５        調整部材
【図１】
2005220697.tif 000003
【図２】
2005220697.tif 000004
【図３】
2005220697.tif 000005